【事件の表示】
　特願２０１４−１０３８１６「薬液注入装置」拒絶査定不服審判事件〔平成２７年１２月　７日出願公開、特開２０１５−２１７１７６〕について、次のとおり審決する。
【結　論】
　本件審判の請求は、成り立たない。
【理　由】
第１　手続の経緯
　本願は、平成２６年５月１９日の出願であって、平成２９年１２月１８日付けの拒絶理由の通知に対し、平成３０年４月１３日に意見書が提出されるとともに手続補正がなされたが、平成３０年７月１９日付けで拒絶査定がなされ、これに対して平成３０年１０月３０日に審判の請求がなされると同時に手続補正がなされたものである。
第２　平成３０年１０月３０日にされた手続補正についての補正の却下の決定
［補正の却下の決定の結論］
　平成３０年１０月３０日にされた手続補正（以下「本件補正」という。）を却下する。
［理由］
１　本件補正について（補正の内容）
（１）本件補正後の特許請求の範囲の記載
　本件補正により、特許請求の範囲の請求項１の記載は、次のとおり補正された。（下線部は、補正箇所である。）
　「シリンダとピストンとを有するシリンジに充填された薬液を注入する薬液注入装置であって、
　シリンジが着脱自在に装着される注入ヘッドであって、前記シリンジのピストンを操作するための、前記シリンジの軸方向に移動される直動ユニットを含むピストン駆動機構を備えた注入ヘッドと、
　前記直動ユニット
の先端部
　前記加速度センサによる検出結果を利用して前記ピストン駆動機構の動作を制御するように構成された注入制御部と、
　を有する薬液注入装置。」
（２）本件補正前の特許請求の範囲
　本件補正前の、平成３０年４月１３日の手続補正による特許請求の範囲の請求項１の記載は次のとおりである。
　「シリンダとピストンとを有するシリンジに充填された薬液を注入する薬液注入装置であって、
　シリンジが着脱自在に装着される注入ヘッドであって、前記シリンジのピストンを操作するための、前記シリンジの軸方向に移動される直動ユニットを含むピストン駆動機構を備えた注入ヘッドと、
　前記直動ユニットに固定された、静電容量検出方式、ピエゾ抵抗方式および熱検知方式のいずれかの加速度センサと、
　前記加速度センサによる検出結果を利用して前記ピストン駆動機構の動作を制御するように構成された注入制御部と、
　を有する薬液注入装置。」
２　補正の適否
　本件補正は、本件補正前の請求項１に記載された発明を特定するために必要な事項である加速度センサが固定された箇所を表わす「前記直動ユニット」の後に「の先端部」を付加するものであって、補正前の請求項１に記載された発明と補正後の請求項１に記載される発明の産業上の利用分野及び解決しようとする課題が同一であるから、特許法第１７条の２第５項第２号の特許請求の範囲の減縮を目的とするものに該当する。
　そこで、本件補正後の請求項１に記載される発明（以下「本件補正発明」という。）が同条第６項において準用する同法第１２６条第７項の規定に適合するか（特許出願の際独立して特許を受けることができるものであるか）について、以下、検討する。
（１）本件補正発明
　本件補正発明は、上記１（１）に記載したとおりのものである。
（２）引用文献の記載事項
ア　引用文献１
（ア）原査定の拒絶の理由で引用された本願の出願前に頒布された又は電気通信回線を通じて公衆に利用可能となった引用文献である、特表２０１０−５３６４８４号公報（以下「引用文献１」という。）には、図面とともに、次の記載がある。
「【００１３】
  ・・・例えば、説明される実施形態のうちの１つまたはそれよりも多くの実施形態に関して以下で議論される様々な特徴は、上述した本発明の局面のどれにでも単独であるいは任意の組み合わせで組み込まれ得る。・・・」
「【００１８】
  図示された実施形態において、撮像系１０は閉ループコントロールシステムとして動作し得る。例えば、コントロール２６は流体ポンプ２８に制御信号３６を出力し得る。その結果流体ポンプ２８にトリガーがかかり、それぞれ矢印３８、４０で示されるように作動流体３０を受け取り、これを流体ドライブ１８に送る。・・・」
「【００１９】
  ・・・ある実施形態では配送デバイス２２はバレル内に配置されたプランジャーを有するシリンジを含み得る。このように医用流体２４は流体ドライブ１８が駆動力４２を伝えるまでシリンジ内に蓄えられ得る。」
「【００２０】
  フィードバックセンサー２０は流体ドライブ１８の１つまたはそれよりも多くのパラメーターをモニターし得る。例えばセンサー２０は矢印４４で示されるように検知されたパラメーターに関するデータを取得し得る。例えば検知されたパラメーター４４は流体ドライブ１８の・・・加速度・・・を含み得る。・・・次にセンサー２０はフィードバック信号４６をコントロール２６に提供する。その信号４６に基づいてコントロール２６は制御信号３６を介してポンプ２８への出力を増加、減少、終了、あるいは維持し得る。結果として、撮像系１０は流体駆動注射器１２の比例サーボフィードバック制御を有する。」
「【００２９】
 図４は撮像系１０の代替的な実施形態の図であり、注射器１２は一連の力を作るためにギアおよびラチェットアセンブリー１６２に結合された流体ドライブ１６０を含む。図示された流体ドライブ１６０はシリンダー１６６内で可動に配置されたピストン１６４を含み得、ここでピストン１６４はロッド１６８に結合されている。図示されたピストン１６４はシリンダー１６６を第１のチャンバー１７０と第２のチャンバー１７２とに分け、第１のチャンバー１７０および第２のチャンバー１７２は、それぞれの第１および第２の導管１７６と１７８とを介してマニホールド１７４に結合されている。図３の実施形態同様、マニホールド１７４は１つまたはそれよりも多くのバルブ１８０あるいは１つまたはそれよりも多くの流体ポンプ１８２に結合され得るかあるいはこれらを含み得、作動流体１８４が第１と第２の導管１７６および１７８を介して第１および第２のチャンバー１７０および１７２に往復運動の態様で流れさせられ得る。例えば、作動流体１８４がマニホールド１７４から第１のチャンバー１７０に流れると作動流体が第２のチャンバー１７２からマニホールド１７４に流れる。ピストン１６４が反対方向に動くときは作動流体１８４がマニホールド１７４から第２のチャンバー１７２に流れ、一方で作動流体１８４が第１のチャンバー１７０からマニホールド１７４に流れる。矢印１８６と１８８が第１および第２の導管１７６および１７８内での往復運動する流れを示す。この往復運動する流れの結果、ピストン１６４およびロッド１６８は（図４に図示される上方向および下方向へ）往復運動の態様でシリンダー１６６内を移動し、その結果ギアおよびラチェットアセンブリー１６２に往復運動する力を伝える。」
「【００３０】
  ギアおよびラチェットアセンブリー１６２は突き棒１９０と、突き棒１９０に結合されたボールねじ１９２と、ギア１９４かつ／またはボールねじ１９２に結合された１つまたはそれよりも多くのベアリング１９６と、ラチェットアセンブリー１９８とを含み得る。ラチェットアセンブリー１９８はロッド１６８の往復運動する動きに応答して階段状の態様でギア１９４に前進的にかみ合うように構成され得る。ラチェットアセンブリー１９８は第１のアーム２００と、第２のアーム２０２と、第１および第２のアーム２００および２０２の間に結合された第３のアーム２０４とを含み得る。さらに第３のアーム２０４は回転節２０６と２０８とで、第１および第２のアーム２００および２０２の両方に回転可能に結合され得る。最後に、第３のアーム２０４はベアリング２１０に結合され得る。結果として、第１のアーム２００は矢印２１２で示されるように回転節２０６の回りを回転し得、第２のアーム２０２は矢印２１４で示されるように回転節２０８の回りを回転し得、第３のアーム２０４は矢印２１６で示されるようにベアリング２１０の回りを回転し得る。第１のアーム２００と第２のアーム２０２の各々がラチェットアセンブリー１９８のラチェットとして特徴付けられ得る。」
「【００３１】
  ロッド１６８の往復運動する動きに応答して、第１および第２のアーム２００および２０２は前後に往復運動しながらギア１９４の歯２１８に沿ってステップを踏み一連の力で一続きに押し得る。その結果、ギア１９４が前進的に駆動されボールねじ１９２が回転する。また、一連の力は単一の一定の力というよりはむしろ順次発生させられるかつ／または発生する、一続きの分離された離散的な力として定義され得る。図示された実施形態において、例えば、第１および第２のアーム２００および２０２によって加えられる一連の力は、１つの歯２１８が順次離散的ステップを踏んで（例えば、第１の歯２１８に接触し、これを前に押し、次に第２の歯２１８に移りこれを前に押すなどのように）かみ合うことでギア１９４を前進的に回転させ得る。ボールねじ１９２が回転することで、突き棒１９０はシリンジ２２４のバレル２２２内に配置されたプランジャー２２０を直動させ得る。特に、プランジャー２２０は突き棒１９０とつながるドライブシャフト２３０に結合されたプランジャーヘッド２２８の回りに配置された複数のシールを含み得る。」
「【００３２】
  図４に示された撮像系１０は、矢印２３４で示されるように突き棒１９０の・・・加速度・・・をモニターするように構成された１つまたはそれよりも多くのフィードバックセンサー２３２を含み得る。次に、１つまたはそれよりも多くのセンサー２３２はフィードバック信号２３６をコントロール２３８に提供し得、コントロール２３８は流体ポンプ１８２への閉ループ制御信号２４０を提供し得る。・・・」
「【００３７】
  ・・・動力源２６０は、図１を参照して上記で議論されたように撮像孔１４内の患者への配置に特に良く合ような、患者装着可能（例えば、取り外し可能に装備された）注射器として記述され得る。・・・さらに、動力源２６０はシリンジ３３８を支えるよう構成されたシリンジレセプタクル３３６を含む。図６を参照して上記で議論されたように動力源２６０内に配置された流体ドライブ２７２は気体圧力に応答してシリンジ３３８のプランジャー３４０を駆動する。・・・」
（イ）続いて図面を参照しつつ、上記の各記載について検討する。
ａ　【００２９】の「図４は撮像系１０の代替的な実施形態の図であり」との記載、及び、図４の図示内容から、撮像系１０は、注射器１２、フィードバックセンサー２３２及びコントロール２３８を含むといえる。
ｂ　【００１９】の「ある実施形態では配送デバイス２２はバレル内に配置されたプランジャーを有するシリンジを含み得る。このように医用流体２４は流体ドライブ１８が駆動力４２を伝えるまでシリンジ内に蓄えられ得る。」という記載、及び、図４の図示内容、そこに【００１３】の「説明される実施形態のうちの１つまたはそれよりも多くの実施形態に関して以下で議論される様々な特徴は、上述した本発明の局面のどれにでも単独であるいは任意の組み合わせで組み込まれ得る。」という記載を考慮すると、撮像系１０は、シリンジ２２４内に蓄えられた医用流体を流すといえる。
ｃ　【００２９】の「
注射器１２は
ギアおよびラチェットアセンブリー１６２に結合された流体ドライブ１６０を含む。
作動流体１８４が
流れさせられ得る。
その結果ギアおよびラチェットアセンブリー１６２に
力を伝える。
ギアおよびラチェットアセンブリー１６２は突き棒１９０と、突き棒１９０に結合されたボールねじ１９２と、
を含み得る。
ギア１９４が前進的に駆動されボールねじ１９２が回転する。
ボールねじ１９２が回転することで、突き棒１９０はシリンジ２２４のバレル２２２内に配置されたプランジャー２２０を直動させ得る。
ｄ　【００３７】の「・・・動力源２６０は、図１を参照して上記で議論されたように撮像孔１４内の患者への配置に特に良く合ような、患者装着可能（例えば、取り外し可能に装備された）注射器として記述され得る。・・・さらに、動力源２６０はシリンジ３３８を支えるよう構成されたシリンジレセプタクル３３６を含む。・・・」という記載、及び、図６の図示内容、そこに【００１３】の「説明される実施形態のうちの１つまたはそれよりも多くの実施形態に関して以下で議論される様々な特徴は、上述した本発明の局面のどれにでも単独であるいは任意の組み合わせで組み込まれ得る。」という記載を考慮すると、引用文献１には、シリンジレセプタクルを含む注射器１２が記載されているといえる。
ｅ　【００３２】の「図４に示された撮像系１０は、矢印２３４で示されるように突き棒１９０の・・・加速度・・・をモニターするように構成された１つまたはそれよりも多くのフィードバックセンサー２３２を含み得る。」という記載、及び、【００２０】の「例えばセンサー２０は矢印４４で示されるように検知されたパラメーターに関するデータを取得し得る。例えば検知されたパラメーター４４は流体ドライブ１８の・・・加速度・・・を含み得る。」という記載、そこに【００１３】の「説明される実施形態のうちの１つまたはそれよりも多くの実施形態に関して以下で議論される様々な特徴は、上述した本発明の局面のどれにでも単独であるいは任意の組み合わせで組み込まれ得る。」という記載を考慮すると、フィードバックセンサー２３２は、突き棒１９０の加速度を検知してモニターするように構成されたといえる。
ｆ　【００３２】の「１つまたはそれよりも多くのセンサー２３２はフィードバック信号２３６をコントロール２３８に提供し得、コントロール２３８は流体ポンプ１８２への閉ループ制御信号２４０を提供し得る。・・・」という記載、【００１８】の「図示された実施形態において、撮像系１０は閉ループコントロールシステムとして動作し得る。例えば、コントロール２６は流体ポンプ２８に制御信号３６を出力し得る。その結果流体ポンプ２８にトリガーがかかり、それぞれ矢印３８、４０で示されるように作動流体３０を受け取り、これを流体ドライブ１８に送る。・・・」という記載、そこに【００１３】の「説明される実施形態のうちの１つまたはそれよりも多くの実施形態に関して以下で議論される様々な特徴は、上述した本発明の局面のどれにでも単独であるいは任意の組み合わせで組み込まれ得る。」という記載を考慮すると、コントロール２３８は、フィードバックセンサー２３２によりフィードバック信号２３６が提供され、流体ポンプ１８２への閉ループ制御信号２４０を提供し、その結果流体ポンプ１８２にトリガーがかかり、作動流体１８４を受け取り、これを流体ドライブ１６０に送るといえる。
（ウ）上記（ア）、（イ）から、引用文献１には、次の発明（以下「引用発明」という。）が記載されていると認められる。
　「バレル２２２とプランジャー２２０とを有するシリンジ２２４内に蓄えられた医用流体を流す撮像系１０であって、
　シリンジレセプタクルを含む注射器１２であって、ギアおよびラチェットアセンブリー１６２に結合された流体ドライブ１６０を含み、流体ドライブ１６０に作動流体１８４が流れさせられ、その結果ギアおよびラチェットアセンブリー１６２に力を伝え、ギアおよびラチェットアセンブリー１６２は突き棒１９０と、突き棒１９０に結合されたボールねじ１９２とを含み、ギア１９４が前進的に駆動されボールねじ１９２が回転し、ボールねじ１９２が回転することで、突き棒１９０はシリンジ２２４のバレル２２２内に配置されたプランジャー２２０を直動させる、注射器１２と、
　突き棒１９０の加速度を検知してモニターするように構成されたフィードバックセンサー２３２と、
　フィードバックセンサー２３２によりフィードバック信号２３６が提供され、流体ポンプ１８２への閉ループ制御信号２４０を提供する、コントロール２３８と、
　を含み、
　流体ポンプ１８２への閉ループ制御信号２４０を提供する結果、流体ポンプ１８２にトリガーがかかり、作動流体１８４を受け取り、これを流体ドライブ１６０に送る、
　撮像系１０。」
（３）引用発明との対比
ア　本件補正発明と引用発明とを対比する。
（ア）引用発明の「バレル２２２」は、本件補正発明の「シリンダ」に相当し、以下同様に、「プランジャー２２０」は「ピストン」に、「シリンジ２２４」は「シリンジ」に、「医用流体」は「薬液」に、「撮像系１０」は「薬液注入装置」に、それぞれ相当する。
　したがって、引用発明は、本件補正発明の「シリンダとピストンとを有するシリンジに充填された薬液を注入する薬液注入装置」といえる。
（イ）引用発明の「注射器１２」は、本件補正発明の「注入ヘッド」に相当する。
　また、引用発明の「注射器１２」に含まれる「シリンジレセプタクル」は、「レセプタクル」が「入れ物、容器」を意味することからみて、「シリンジが着脱自在に装着される」ものであることは明らかである。
　また、引用発明の「注射器１２」に含まれる「ギアおよびラチェットアセンブリー１６２に結合された流体ドライブ１６０」は、「シリンジ２２４のバレル２２２内に配置されたプランジャー２２０を直動させる」ものであるから、本件補正発明の「前記シリンジのピストンを操作するための」、「ピストン駆動機構」に相当する。
　また、引用発明の「ギアおよびラチェットアセンブリー１６２」は、「突き棒１９０と、突き棒１９０に結合されたボールねじ１９２とを含み」、「ボールねじ１９２が回転することで、突き棒１９０はシリンジ２２４のバレル２２２内に配置されたプランジャー２２０を直動させる」ところ、プランジャー２２０が直動する方向は、図４から、シリンジ２２４の軸方向であり、突き棒１９０及びボールねじ１９２は、プランジャー２２０と一体的に移動するから、引用発明の「突き棒１９０」及び「ボールねじ１９２」からなるユニットは、本件補正発明の「前記シリンジの軸方向に移動される直動ユニット」に相当する。
　したがって、引用発明は、本件補正発明の「シリンジが着脱自在に装着される注入ヘッドであって、前記シリンジのピストンを操作するための、前記シリンジの軸方向に移動される直動ユニットを含むピストン駆動機構を備えた注入ヘッド」を有するといえる。
（ウ）加速度を検知するセンサーは加速度センサといえるから、引用発明の「加速度を検知してモニターするように構成されたフィードバックセンサー２３２」は、本件補正発明の「加速度センサ」に相当する。
　したがって、引用発明は、本件補正発明の「加速度センサ」を有するといえる。
（エ）引用発明の「コントローラ２３８」は、本件補正発明の「注入制御部」に相当する。
　また、引用発明の「コントローラ２３８」は、「突き棒１９０の加速度を検知してモニターするように構成されたフィードバックセンサー２３２」により「フィードバック信号２３６が提供され、流体ポンプ１８２への閉ループ制御信号２４０を提供する」ものであり、その結果「流体ポンプ１８２にトリガーがかかり、作動流体１８４を受け取り、これを流体ドライブ１６０に送」り、「流体ドライブ１６０に作動流体１８４が流れさせられ、その結果ギアおよびラチェットアセンブリー１６２に力を伝え」、「ギア１９４が前進的に駆動されボールねじ１９２が回転し、ボールねじ１９２が回転することで、突き棒１９０はシリンジ２２４のバレル２２２内に配置されたプランジャー２２０を直動させる」ので、フィードバックセンサー２３２による検出結果を利用して、ギアおよびラチェットアセンブリー１６２に結合された流体ドライブ１６０の動作を制御するように構成されたといえる。
　したがって、引用発明は、本件補正発明の「加速度センサによる検出結果を利用して前記ピストン駆動機構の動作を制御するように構成された注入制御部」を有するといえる。
イ　以上のことから、本件補正発明と引用発明との一致点及び相違点は、次のとおりである。
　【一致点】
　「シリンダとピストンとを有するシリンジに充填された薬液を注入する薬液注入装置であって、
　シリンジが着脱自在に装着される注入ヘッドであって、前記シリンジのピストンを操作するための、前記シリンジの軸方向に移動される直動ユニットを含むピストン駆動機構を備えた注入ヘッドと、
　加速度センサと、
　前記加速度センサによる検出結果を利用して前記ピストン駆動機構の動作を制御するように構成された注入制御部と、
　を有する薬液注入装置。」　
　【相違点】
　「加速度センサ」について、本件補正発明は、その固定位置が「前記直動ユニットの先端部」であるとともに、その方式が「静電容量検出方式、ピエゾ抵抗方式および熱検知方式のいずれか」であるのに対し、引用発明は、「突き棒１９０の加速度を検知してモニターするように構成された」ものであるものの、その固定位置及び方式は明らかでない点。
（４）判断
　以下、相違点について検討する。
ア　加速度センサとして、静電容量検出方式、ピエゾ抵抗方式及び熱検知方式のものは、本願の出願前において周知の技術といえる（必要であれば、例えば、原査定の拒絶の理由に引用された特表２０１０−５１０８６７号公報の【００４３】−【００４４】の他に、特開２００９−２７６３０５号公報の【００１９】、【００２８】、【００６０】、“平成２１年度特許出願技術動向調査報告書　加速度センサ（要約版）”、特許庁、平成２２年４月、ｐ．１−２の「１．１．加速度センサの概要」、ｐ．３の「１．２．１．センシング方式」における「静電型」、「抵抗型」、「熱・流体型」の記載を参照。）。
　そして、引用発明のフィードバックセンサー２３２は、 突き棒１９０の加速度を検知してモニターするように構成されたものであるところ、どのようなセンサを採用するかは、センサの設置環境、センサの方式ごとの特性などを考慮して、当業者が適宜決定し得たことである。
　してみると、引用発明において、フィードバックセンサー２３２として、静電容量検出方式、ピエゾ抵抗方式及び熱検知方式のいずれかの加速度センサを採用することは、上記の周知の技術に基づいて、当業者が容易になし得たことである。
　また、静電容量検出方式、ピエゾ抵抗方式及び熱検知方式の加速度センサは、いずれも測定対象に固定されるものである（“平成２１年度特許出願技術動向調査報告書　加速度センサ（要約版）”、特許庁、平成２２年４月、ｐ．３の「１．２．１．センシング方式」に記載された「静電型」、「抵抗型」、「熱・流体型」の動作原理から、測定対象物に固定されることは明らかである。また、静電容量検出方式及びピエゾ抵抗方式については、特開２００９−２７６３０５号公報の【００１９】、【００２８】、【００６０】に、測定対象物に固定されることが記載されている。）ところ、引用発明のフィードバックセンサー２３２は「突き棒１９０の加速度を検知してモニターする」のであるから、採用した加速度センサを突き棒１９０に固定することも、当業者が容易になし得たことである。
　さらに、突き棒１９０は、突き棒１９０及びボールねじ１９２からなるユニットの先端部をなす部材であるところ、採用した加速度センサを当該ユニットに固定する際に、その固定位置として、当該ユニットの先端部とすることは、単なる設計事項にすぎない。
イ　本件補正発明の効果は、引用発明及び上記の周知の技術から当業者が予測し得た程度のものであって、格別のものとはいえない。
　なお、本願明細書の【００１６】には、「本発明によれば、シリンジが着脱自在に装着される注入ヘッドに加速度センサを固定することにより、加速度センサによって検出された加速度を用いて、注入ヘッドの姿勢や位置などに関する様々な情報を得ることができ、それを利用して薬液注入装置の不具合などを検出することができる。特に、加速度センサを直動ユニットに固定することによって、加速度センサによって検出された加速度を利用して薬液注入時の直動ユニットの移動速度や移動距離が求められ、それに基づいてピストン駆動機構の動作を制御することができる。」という効果が記載されている。
　ここで、進歩性が肯定される方向に働く要素である引用発明と比較した有利な効果とは、発明特定事項によって奏される効果（特有の効果）のうち、引用発明の効果と比較して有利なものをいう。
　そうであるところ、本件補正後の請求項１には、「加速度センサによる検出結果を利用してピストン駆動機構の動作を制御するように構成された注入制御部」と記載されており、加速度センサによる検出結果を利用して、「注入ヘッドの姿勢や位置などに関する様々な情報を得て、それを利用して薬液注入装置の不具合などを検出すること」及び「薬液注入時の直動ユニットの移動速度や移動距離を求め、それに基づいてピストン駆動機構の動作を制御すること」は、発明特定事項として記載されていない。
　してみると、【００１６】に記載された上記効果は、本件補正発明についての発明特定事項によって奏される効果（特有の効果）といえないから、参酌されない。
ウ　したがって、本件補正発明は、引用発明及び上記の周知の技術に基づいて、当業者が容易に発明をすることができたものであり、特許法第２９条第２項の規定により、特許出願の際独立して特許を受けることができないものである。
３　本件補正についてのむすび
　よって、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、上記補正の却下の決定の結論のとおり決定する。
第３　本願発明について
１　本願発明
　平成３０年１０月３０日にされた手続補正は、上記のとおり却下されたので、本願の請求項１−１７に係る発明は、平成３０年４月１３日付け手続補正書によって補正された特許請求の範囲の請求項１−１７に記載された事項により特定されるとおりのものであるところ、その請求項１に係る発明（以下「本願発明」という。）は、その請求項１に記載された事項により特定される、前記第２［理由］１（２）に記載のとおりのものである。
２　原査定の拒絶の理由
　原査定の拒絶の理由は、この出願の請求項１−１７に係る発明は、その出願前に日本国内又は外国において、頒布された又は電気通信回線を通じて公衆に利用可能となった下記の引用文献１に記載された発明、引用文献２に記載された事項、引用文献３に記載された事項、及び、引用文献４に記載された周知の技術に基いて、その出願前にその発明の属する技術の分野における通常の知識を有する者が容易に発明をすることができたものであるから、特許法第２９条第２項の規定により特許を受けることができない、というものである。
引用文献１：特表２０１０−５３６４８４号公報
引用文献２：国際公開第２００６／０６８１７１号
引用文献３：国際公開第２０１１／１２９１７５号
引用文献４：特表２０１０−５１０８６７号公報
３　引用文献
　原査定の拒絶の理由に引用された引用文献１及びその記載事項は、前記第２の［理由］２（２）に記載したとおりである。 
４　対比・判断 
　本願発明は、前記第２の［理由］２で検討した本件補正発明から、加速度センサが固定された箇所を表わす「前記直動ユニット
の先端部
　そうすると、本願発明の発明特定事項をすべて含み、さらに他の事項を付加したものに相当する本件補正発明が、前記第２の［理由］２（３）、（４）に記載したとおり、引用発明及び上記の周知の技術に基づいて、当業者が容易に発明をすることができたものであるから、本願発明も、引用発明及び上記の周知の技術に基づいて当業者が容易に発明をすることができたものである。 
第４　むすび
　以上のとおり、本願発明は、特許法第２９条第２項の規定により特許を受けることができないから、他の請求項に係る発明について検討するまでもなく、本願は拒絶されるべきものである。
　よって、結論のとおり審決する。